(57)【特許請求の範囲】
【請求項１】
断熱容器本体と、この断熱容器本体の上端開口部に着脱できるように装着されて断熱容器本体の上端開口での液の出入りを制限する栓部材と、この栓部材に上方から着脱できるように装着されて栓部材を覆う栓蓋と、栓部材の断熱容器本体内に臨む部分に着脱できるように装着されて断熱容器本体内に保持されるこし具とを備え、栓蓋は裏面にこし具を受けられる凹部を有することを特徴とする保温ボトル。
【請求項２】
栓蓋の凹部周壁内にこし具が底部側から嵌まり合う請求項１に記載の保温ボトル。
【請求項３】
断熱容器本体と、この断熱容器本体の上端開口部に着脱できるように装着されて断熱容器本体の上端開口での液の出入りを制限する栓部材と、この栓部材に上方から着脱できるように装着されて栓部材を覆う栓蓋と、栓部材の断熱容器本体内に臨む部分に着脱できるように装着されて断熱容器本体内に保持されるこし具とを備え、栓蓋と栓との間に空間を形成し、空間はこし具を収容する大きさであることを特徴とする保温ボトル。
【発明の詳細な説明】
【０００１】
【発明の属する技術分野】
本発明は保温ボトルに関し、詳しくは、茶やハーブなどを抽出するこし具を備え抽出液を保温できる保温ボトルに関するものである。
【０００２】
【従来の技術】
この種の保温ボトルは、例えば特開平１１−２５３３１２号公報で知られている。このものは、保温ボトルの上端開口部に着脱できるように装着した環状の口部材における断熱容器本体内に垂下した筒体の下端内フランジによって茶こしの上端外フランジを下方から受け止めて断熱容器本体内での浸漬位置に茶こしを保持している。口部材はこれに着脱できる蓋によって閉じるようにしている。これにより、茶こしに茶葉を入れておき湯の入った断熱容器本体に装着すると湯に浸漬されて煎じることができ、しかも、その間も蓋によって口部材を介し断熱容器本体を閉じておくので茶葉を煎じるのに適した湯温に保てるとともに、抽出したお茶はそのまま保温できる。しかも、お茶は茶こしによって漉されているので、お茶を飲むのに口部材を断熱容器本体から取り外すと蓋および茶こしも一体に外れ、これらの邪魔なく、かつ茶葉の入らないお茶を断熱容器本体の上端開口から口にできるし、他に移して飲んだり利用したりすることができる。また、前記抽出後に蓋を取れば口部材が開口して茶こしに湯などを注げるのでそのままドリップによる抽出方式の二番煎じもできる。もっとも、このような抽出を１回目から行うこともできる。
【０００３】
【発明が解決しようとする課題】
ところで、ハーブ茶などは抽出に長い時間が必要であるものの、抽出時間の長短の別なく抽出後のお茶が直ぐに飲まれない場合、断熱容器本体は満杯のままになって茶こしは浸漬されたままになるので抽出過剰を招き味や香りを損なう。これを避けるには抽出後に茶こしを取り外す必要がある。抽出中に保温状態を保っていた蓋を取り外せば口部材は開口し茶こしが露出するので、筒体下端の内フランジから茶こしを持ち上げて取り外すことはできる。
【０００４】
しかし、筒体は茶こしを断熱容器本体の上端開口よりも深い浸漬位置に支持しているので取り外しにくい。まして、真空二重構造など保温のために容器壁が分厚くなりがちで上端開口が小さくなりがちなマグカップなどと呼ばれる小型の断熱容器本体に適用するのではなおさらである。このような不便はドリップ方式の抽出であっても同じである。
【０００５】
蓋をした保温状態での抽出後に口部材を断熱容器本体から取り外せば茶こしは外に現れ取り外しやすくはなるが、口部材の蓋側にしか取り外せないので蓋を口部材から取り外してしか茶こしは取り外せない。このため、茶こしの取り外しのために、口部材の断熱容器本体からの取り外し、蓋の取り外し、茶こしの取り外し、の３つの作業が必要になるので作業回数が多く不便である。またこの場合、保温状態に戻すには、口部材の断熱容器本体への装着、蓋の口部材への装着、の２つの作業が必要となる。従って、抽出後に茶こしを取り外して保温状態に戻すには５つの作業が必要であって使用しにくく、さらなる簡略化が望まれる。
【０００６】
さらに、口部材は茶こしを断熱容器本体の上端開口における深い浸漬位置に保持するためだけのものであって、茶こしの全体を露出させているので、ドリップ方式の抽出を行うにはお湯を掛け通すときの流量や位置を細かく注意して行う必要があるのでこれも面倒である。これに対応するのにお湯を一気に掛け通すのであれば抽出不足になり、二番煎じであればなおさらで、その後所定時間浸漬状態にしておく必要がある。この際保温のために蓋をするのであれば通常の保温状態に戻すのに既述した通り５つの作業が必要になる。
【０００７】
本発明の目的は、こし具を持った保温ボトルを使用勝手のよいものとして提供することにある。
【０００８】
【課題を解決するための手段】
本発明の保温ボトルは、断熱容器本体と、この断熱容器本体の上端開口部に着脱できるように装着されて断熱容器本体の上端開口での液の出入りを制限する栓部材と、この栓部材に上方から着脱できるように装着されて栓部材を覆う栓蓋と、栓部材の断熱容器本体内に臨む部分に着脱できるように装着されて断熱容器本体内に保持されるこし具とを備え、栓蓋は裏面にこし具を受けられる凹部を有することを１つの特徴とするものである。
【００１３】
このような構成では、栓部材は、こし具を断熱容器本体の口部内の深い浸漬位置に位置させるのに役立ち、栓蓋は、浸漬位置にあるこし具に収容したお茶やハーブなどの抽出材料を断熱容器本体内の湯に浸漬して抽出するのに、断熱容器本体の上端開口を閉じて保温状態を保つのに役立つので、ハーブ茶などを長い時間掛けて抽出しても湯が冷めないし、ハーブ茶などの抽出液はそのまま保温し続けられる。また、栓部材、栓蓋、こし具のそれぞれは別個に取り外せるので、断熱容器本体を含め全てが丸洗いできるし、抽出後こし具を取り外して抽出過剰が生じない保温状態にすることができる。特に、栓部材は液の出入りを制限するので、この制限の状態によって、こし具への注液や断熱容器本体内からの液の漏れだしが不用意に生じないようにしたり、生じ難くしたり、こし具への注液を調整したりすることができ、従来に比し使用勝手のよいものとなる。しかも、栓部材は液の出入りを制限する分だけ熱の出入りを制限するので栓部材と栓蓋とで二重の断熱効果が得られる。さらに、栓部材をこし具および栓蓋とともに断熱容器本体から一体に取り外した後分解するような場合に、取り外した栓蓋を裏面の凹部を上にして、次に取り外したこし具を栓蓋の凹部に受け入れて持ち運んだり置いたりすることにより、こし具からの滴を栓蓋にて受けて落ちないようにすることができ取り扱いやすい。従って、従来に比し格段に使用勝手がよくなる。
【００１４】
この場合、栓蓋の凹部周壁内にこし具が底部側から嵌まり合うものとすると、栓部材を断熱容器本体から取り外してこし具と共に抜き出す際に、先に栓部材から取り外しておいた栓蓋の凹部を引出されたこし具に底部から嵌め合わせられるので、こし具が抜き出された直ぐから滴が落ちるようなことを防止しながら栓部材から取り外して取り扱えるとともに、そのまま持ち運べるし、どこにでも置けるので、取り扱いやすく使用勝手がなお良くなる。
【００２６】
本発明の保温ボトルは、断熱容器本体と、この断熱容器本体の上端開口部に着脱できるように装着されて断熱容器本体の上端開口での液の出入りを制限する栓部材と、この栓部材に上方から着脱できるように装着されて栓部材を覆う栓蓋と、栓部材の断熱容器本体内に臨む部分に着脱できるように装着されて断熱容器本体内に保持されるこし具とを備え、栓蓋と栓との間に空間を形成し、空間は断熱容器本体内に位置していることを別の特徴としている。
【００２７】
このような構成では、栓部材は、こし具を断熱容器本体の口部内の深い浸漬位置に位置させるのに役立ち、栓蓋は、浸漬位置にあるこし具に収容したお茶やハーブなどの抽出材料を断熱容器本体内の湯に浸漬して抽出するのに、断熱容器本体の上端開口を閉じて保温状態を保つのに役立つので、ハーブ茶などを長い時間掛けて抽出しても湯が冷めないし、ハーブ茶などの抽出液はそのまま保温し続けられる。また、栓部材、栓蓋、こし具のそれぞれは別個に取り外せるので、断熱容器本体を含め全てが丸洗いできるし、抽出後こし具を取り外して抽出過剰が生じない保温状態にすることができる。特に、栓部材は液の出入りを制限するので、この制限の状態によって、こし具への注液や断熱容器本体が倒れたときの液の流出が不用意に生じないようにしたり、生じ難くしたり、こし具への注液を調整したりすることができ、従来に比し使用勝手のよいものとなる。しかも、栓部材は液の出入りを制限する分だけ熱の出入りも制限するので栓部材と栓蓋とで二重の断熱効果が得られる。また、栓蓋との間の空間を断熱空間とし、かさ高くなったり特別な栓蓋の断熱構造なしに保温ボトルの保温機能を高められるし、この空間に使用しないときのこし具を収容して紛失しないようにすることができる。さらに、空間が断熱容器本体内に位置しているほど断熱効果は高くなる。
【００３１】
本発明のそれ以上の目的および特徴は、以下の詳細な説明および図面の記載によって明らかになる。本発明の各特徴はそれ単独で、あるいは可能な限りにおいて種々な組合せで複合して用いることができる。
【００３２】
【実施例】
以下、本発明をマグカップに適用した場合の実施例における幾つかの具体例について図を参照しながら説明する。しかし、本発明はこれに限定されることはなく、保温機能を持った各種の家庭用や個人用程度の大きさの液体容器に適用して有効であり、そのいずれも本発明の範疇に属する。
【００３３】
本実施例、図１、図２に示す例、図３〜図５に示す例、図６〜図１０に示す例、図１１〜図１３に示す例のように、断熱容器本体１と、この断熱容器本体１の上端開口２に着脱できるように装着されて断熱容器本体１の上端開口２での液の出入りを制限する栓部材３と、この栓部材３に上方から着脱できるように装着されて栓部材３を覆う栓蓋４と、栓部材３の断熱容器本体１内に臨む部分に着脱できるように装着されて断熱容器本体１内に保持されるこし具５とを備えている。栓部材３、栓蓋４、およびこし具５の装着は図に示すように螺子１１、１２、１３によって行い回転によって着脱できるようにしている。しかし、他の装着方法としてはヘリコイド状の不連続な凸条、傾斜のないバヨネット凸条などの回転による締まりや引っ掛かりを利用してもよい。また、突起とＬ形の係止溝などとの直進と回転を伴う係止構造でもよい。
【００３４】
栓部材３は、こし具５を断熱容器本体１の口部６内の深い浸漬位置に位置させるのに役立ち、栓蓋４は、浸漬位置にあるこし具５に収容したお茶やハーブなどの抽出材料を断熱容器本体１内の湯などに浸漬して抽出するのに、断熱容器本体１の上端開口２を閉じて保温状態を保つのに役立つ。これにより、ハーブ茶などを長い時間掛けて抽出しても湯が冷めないし、ハーブ茶などの抽出液はそのまま断熱容器本体１内で保温し続けられる。
【００３５】
また、栓部材３、栓蓋４、こし具５のそれぞれは別個に取り外せるので、断熱容器本体１を含め全てが丸洗いできるし、抽出後こし具５を取り外して抽出過剰が生じない保温状態にすることができる。特に、栓部材３は液の出入りを制限するので、この制限の状態によって、こし具５への注液や断熱容器本体１が倒れたときの液の流出が不用意に生じないようにしたり、生じ難くしたり、こし具５への注液を調整したりすることができ、従来に比し使用勝手のよいものとなる。
【００３６】
具体的には、図３〜図５に示す例、図６〜図１０に示す例では、栓部材３が、液の出入りを遮断する制限を行う隔壁３ａを有している。このような隔壁３ａは、液の不用意な出入りを阻止するとともに、ドリップ式の抽出が行われてしまうのを防止する。これにより、栓部材３、栓蓋４およびこし具５を取り外した状態で湯などを断熱容器本体１に入れた後、栓部材３が栓蓋４およびこし具５とともに装着されてこし具が所定の浸漬状態になる常に同じ状態で、抽出が開始し進行するので、抽出操作が常に一定し、長い時間浸漬して抽出するようなハーブ専用の抽出、保温を行うのに特に好適である。また、栓部材３の開口を通じた熱の逃げがないので、栓蓋４とによる二重の断熱効果が向上する。
【００３７】
これらの例では、特に、栓部材３に断熱容器本体１内の負圧により吸気させる吸気弁２２を設けてある。これにより、隔壁３ａが開口を有しないことにより、保温中の内溶液が冷めてきて断熱容器本体１内に負圧が生じても、外部との間にできる圧力差によって吸気弁２２を開いて断熱容器本体１内に吸気するので、前記負圧は自然に解消され栓部材３が負圧によって吸着され取り外しにくくなったり、断熱容器本体１などが外圧によって内側に窪んだりするようなことを防止することができる。
【００３８】
吸気弁２２は柔軟な樹脂部材よりなり、隔壁３ａに設けた小さな吸気孔２３に内側から当てがって塞いだもので、脱落しないように隔壁３ａの取り付け孔２４に突起２２ａを下方から圧入することで止めてある。吸気弁２２は通常吸気孔２３の開口部に弾性的に密着してそれを塞いでおり上方から水が漏れ落ちたりするのを防止するが、断熱容器本体１内が負圧になって外圧との差が所定以上になると外圧によって押し開かれて、吸気孔２３を通じて断熱容器本体１内に外気が吸入されるようにする。しかし、このような吸気の具体的な構造は負圧が解消されればどのように設計されてもよい。
【００３９】
図１、図２に示す例、および図１１〜図１３に示す例では、栓部材３がその隔壁３ａに、液の出入り流量を絞る絞り口２１を有している。この絞り口２１は栓部材３の上から注がれる湯などの流量や位置にむらがあっても、それを自身の開口面積に応じたほぼ一定の流量と、開口位置に対応した流下位置に制限する。これにより、ドリップ方式による抽出が行われる場合でも抽出およびその進行の状態にむらが生じない。また、上記注液流量および注液位置の適正な制限の基、ドリップ方式の抽出が適正な流量および位置での注液によって行えるので、ドリップ方式のみで抽出するお茶やコーヒなどに特に好適であるし、ハーブなど浸漬状態で抽出を行う場合の蒸らし工程や効率のよい初期抽出などとして適用するのにも有効である。栓部材３はこのような絞り口２１などの開口を有して、液の出入りを制限するが、熱の出入りも制限するのでこのような制限をしない場合に比して断熱効果が高く、その分栓蓋４との二重の断熱効果が高まる。また、絞り口２１は内容液の温度低下によって断熱容器本体１内が負圧になるのを防止する調圧作用も奏する。
【００４０】
このような絞り口２１は図１、図２に示す例、図１１〜図１３に示す例のように一箇所でもよいし、複数箇所にあってもよい。一カ所では図１、図２に示す例のようにほぼ中央に設けて、抽出材料の中央部など最適箇所に偏りなく注液するようでき、複数箇所では分散して注液してより満遍なくより早期に抽出材料全域に及ぶようにすることができる。しかし、図１１〜図１３に示す例では中央からやや偏って設けられている。
【００４１】
これは、前記吸気弁２２と併設するために設置スペースを分け合った結果であるが、必要なら絞り口２１を中央に設けて、吸気弁２２を周辺位置に設けるようにもできる。しかし、浸漬方式の抽出を主体とする場合など問題なければ中央から偏った設計とすることもできる。もっとも、図１６〜図１９に示す例のように上端開口２に対して偏ってこし具５が装着される場合や、こし具５の容量が中央から偏っている場合などには、その偏りに合わせて絞り口２１の位置を偏らせる方が好適となることもある。
【００４２】
図１１〜図１３の例で絞り口２１と吸気弁２２とを併設しているのは、絞り口２１をシールを兼ねたキャップ２５で塞いでいるために、前記負圧が生じる問題があることによる。キャップ２５は絞り口２１を通じた注液を行わない間これをシール状態に塞いで、液の出入りを遮断するとともに、熱の出入りも遮断して栓部材３と栓蓋４とによる二重の断熱効果が高まるようにする。キャップ２５は必要に応じて取り外せば絞り口２１を用いた注液を行うことができる。つまり、栓部材３に開口がある状態と無い状態との双方の特長を使い分けられ、使用勝手がよくなる。
【００４３】
キャップ２５はその着脱のためにゴムや樹脂などの弾性ブッシュとし、弾性的に嵌め付けてある。上端には下方への通り抜けを防止する頭部２５ａを有し、下端には上方から絞り口２１に弾性的に挿入された後復元して上方への軽い抜け止めを行う小さな抜け止め部２５ｂが設けられている。しかし、絞り口２１へは圧入を伴って、あるいは圧入だけで装着されてもよいし、螺子合わせて止めるなど他の装着構造とすることができる。なお、絞り口２１にこのようなシールを施さない場合でも何らかの理由で塞がったり、塞いでおきたいことがあり得るので、吸気弁２２を併設しておくのは有効である。キャップ２５は栓部材３の一部に樹脂ベルトを介して一体成形したり、一部に止め付けておくと紛失しない。
【００４４】
図１、図２に示す例では、前記キャップ２５に代えて開閉弁３１が設けられている。絞り口２１に開閉弁３１が設けられていると、前記キャップ２５のように着脱しなくても、開閉弁３１を閉じ状態にすることによって開口のない特長を発揮させ、開くことによって開口がある特長を発揮させられるので、着脱の手間がなく使用勝手がさらによくなる。
【００４５】
しかも、この例の開閉弁３１は栓蓋４の装着に連動して閉じ、栓蓋４の取り外しによって開かれるようにしてある。これにより、栓蓋４を閉じている間、開閉弁３１は絞り口２１を閉じた図１に示す状態に保たれ、開口のない保温に有利で、断熱容器本体１が横転しても内溶液が不用意に漏れだすこともない使用状態に保たれるので、保温および保温中の取り扱いに有利となる。また、栓蓋４を取り外すと開閉弁３１が自動的に開かれて絞り口２１を開放するので他の作業なしに絞り口２１を利用したドリップ方式の抽出ができる状態になる。従って、開口のある状態と開口のない状態とが蓋の着脱に合わせて自動的に使い分けられ、さらに使用勝手がよくなる。
【００４６】
開閉弁３１を栓蓋４の着脱に連動して開閉するのに、開閉弁３１は弁体３１ａが絞り口２１に上方から着座して閉じる方式で、下向きの弁棒３１ｂが栓部材３の下面に嵌めつけた支持部材３２との間に働かせたばね３３により上動付勢されて、絞り口２１を図２に示すように常時開き位置にあるようにされている。一方栓蓋４の下面には下方に垂下する例えば中空とした弁押し棒４ａが形成されており、弁体３１ａと上下方向に対向し合っている。栓蓋４が装着されると弁押し棒４ａが弁体３１ａをばね３３に抗して絞り口２１に押し付けて閉じ状態にし、栓蓋４が取り外されると弁体３１ａは弁押し棒４ａによる押し下げを解除されてばね３３の付勢により上動し、絞り口２１を開放する。
【００４７】
弁体３１ａの外周にはシールパッキン３４が装着され、絞り口２１の口縁との間をシールして密閉度を向上させるとともに、栓蓋４の装着による弁押し棒４ａと絞り口２１の口縁上面との間の寸法のバラツキを吸収して前記の密閉機能が損なわれないようにしている。
【００４８】
また、図１、図２に示す例、図３〜図５に示す例、図６〜図１０に示す例、図１１〜図１３に示す例では、栓部材３にこし具５のほぼ支持位置まで窪んだ上向きの凹部３５を形成してある。これによって、断熱容器本体１の口部６における上端開口２から上方に突出しない、あるいは少ししか突出しない栓蓋４との間に断熱効果のある空間３６を形成することができ、かさ張らずに栓部材３および栓蓋４に空間３６を加えた三重の断熱構造として保温効果をさらに高められる。また、空間３６に断熱材を配置するとかさ張らない構造のまま保温効果がさらに向上する。凹部３５は図１、図２に示す例、図１１〜図１５に示す例のように栓部材３が絞り口２１を持っている場合に、絞り口２１を通じた注液の案内と、絞り口２１の注液制限を受けて溢れる過剰液を溜め置くことができ好適である。この場合、凹部３５の底部は図に示すように絞り口２１に向かって下り勾配となる傾斜を持つように形成しておくと、凹部３５に溜まった液が絞り口２１を通じてこし具５へスムーズに流れ落ち抽出材料に注液できる。
【００４９】
図１、図２に示す例では絞り口２１に弁棒３１ｂを避けた範囲にフィルタ３７を設けてある。このフィルタ３７は、こし具５内の茶葉など抽出材料が絞り口２１を通じて外部に逆流するのを阻止する。これにより、こし具５が装着されたまま、従って栓部材３が装着されたまま、言い換えると保温抽出状態または抽出後の保温状態にて栓蓋４だけを取り外して抽出液を絞り口２１から流出させても茶葉などの抽出材料は出ずそのまま飲み、また利用することができる。
【００５０】
図１、図２に示す例、図３〜図５に示す例、図６〜図１０に示す例、図１１〜図１３に示す例では、また、こし具５は栓部材３の断熱容器本体１の内側に向く側から装着してある。これにより、栓蓋４を施した浸漬状態での抽出に供し終えたこし具５を取り外して保温状態にする場合、栓部材３を断熱容器本体１から取り外すとこし具５が露出し、しかも栓部材３からこし具５側に単独で取り外せる。この結果、こし具５の取り外しに２つの作業しか要らない。また、こし具５を取り外した後の栓部材３を断熱容器本体１に装着すれば栓蓋４が栓部材３に装着されたままであることによりこし具５のない保温状態に戻すことができ１つの作業しか要らない。従って、５つの作業が必要であった従来に比し格段に使用勝手がよくなる。
【００５１】
図１、図２に示す例、図３〜図５に示す例、図６〜図１０に示す例、図１１〜図１３に示す例、図１４、図１５に示す例、および図１６〜図１９に示す例の全てが金属製、例えば断熱性、耐食性、耐久性に優れたステンレス製の真空二重容器を断熱容器本体１に用いている。しかし、これに限られることはなく合成樹脂性の真空二重容器でもよいし、真空二重容器でなくても断熱材を充填しあるいは張り合わせた構造のもの、容器壁自体が発泡構造など断熱構造を有するものを始めとする種々な断熱容器を採用することができる。
【００５２】
断熱容器本体１を構成する金属製の真空二重容器は、図に示すようにステンレス製の内外容器１ａ、１ｂ間を真空空間１ｃとしている。内外容器１ａ、１ｂはその形状と組み入れの条件などから必要に応じ溶接などにより気密に継ぎ合わせて形成され、互いの口部どうしを溶接などで気密に接合している。真空空間１ｃは真空二重容器の一部、対外は外容器１ｂ、それも底部の凹部に設けられた排気口１ｇからの吸引排気によって形成され、吸引排気後に排気口１ｇは封着材１ｄによって封着され、封着後この部分を覆う保護蓋１ｅが溶接やろう接によって取付けられている。真空空間１ｃ内にはゲッタ１ｆが配置され閉じられた後に真空空間１ｃ内で発生するガスを吸着して真空度が低下しないようにする。
【００５３】
図１、図２に示す例、図３〜図５に示す例、図６〜図１０に示す例、図１１〜図１３に示す例では、特に、内容器１ａがほぼストレートな形状をなし、口部６の上部内周に栓部材３との螺子合わせ用の螺子１１が形成され、この螺子１１のすぐ下に環状の凸条４２が形成されている。栓部材３は内容器１ａ側の螺子１１と対応する螺子１１が形成された部分の直ぐ下に環状のシールパッキン４１が装着されており、栓部材３を口部６に螺子１１で螺子合わせて装着する最終段階でシールパッキン４１が凸条４２に上方から圧着し、双方間をシールする。これによって、断熱容器本体１内のお湯や抽出液は断熱容器本体１の口部６と栓部材３との間から漏れ出るのは勿論、それらの間のディテール部分に侵入するようなことを防止することができる。
【００５４】
栓部材３は断熱容器本体１の口部６の上端から口部６の外回りに延びて被さる操作環３ｂが別部材で形成して接着や溶着などにて一体に設けられている。栓蓋４は栓部材３における凹部３５の周壁内面に螺子１２にて螺子合わせ装着され、栓部材３の上端に被さるようになっている。これによって、栓部材３の操作環３ｂは断熱容器本体１の口部６の上端部外側に露出し、外部から回転操作することができる。この回転操作によって栓部材３をそれに施した栓蓋４およびそれが支持したこし具５を伴って断熱容器本体１の口部６に対し一体で着脱することができる。また、栓蓋４は栓部材３の上端に被さっている鍔部４ｂを把持して回転操作することにより、栓部材３に対して単独で着脱することができる。
【００５５】
以下、各具体例毎に説明する。図１、図２に示す例では、こし具５はステンレスやアルミニウム系の耐食性のある材料にて孔明きの容器状に形成してある。孔は底部にだけ形成した例を示している。しかし、合成樹脂なやセラミックなどの他の材料にて形成してもよい。また、金属製の網材や布、紙などの通液性部材を栓部材３への着脱部に保持して形成してもよい。こし具５は周壁の途中に外方へ拡張した段部５ａを有し、この段部５ａから上に延びる筒部５ｂを栓部材３におけるシールパッキン４１を装着した部分から下方に延びた筒部３ｃの外周に螺子１３にて螺子合わせ装着している。段部５ａは栓部材３の筒部３ｃの下端に当接して螺子合わせのストッパとなるし、こし具５内の抽出材料を断熱容器本体１内の内容液に浸漬させて抽出するときの内容液の満杯水位、ないしは必要水位を示す指標ともなるようにしている。前記開閉弁３１の支持部材３２は栓部材３とこれに装着したこし具５との間に納まっている。
【００５６】
図３〜図５に示す例では、栓部材３はシールパッキン４１を装着した部分から上方に窪んだ下向きの凹部５１を有し、隔壁３ａの中央にこし具５の底部中央から立ち上がった例えば筒状の軸５ｃを着脱および上下動できるように支持している。この支持のために栓部材３の隔壁３ａの中央には上下に延びる支持筒３ｄが設けられ、この支持筒３ｄに前記軸５ｃを下方から挿入するとともに支持筒３ｄの上端部内周に螺子５２により螺子合わせて、上下動および着脱ができるようにしてある。軸５ｃの上端には支持筒３ｄの上方に突出した操作部５ｄを有し、栓蓋４を図２に示すように取り外すことによって外部に露出し、回転操作できるようにしてある。この回転操作によってこし具５の軸５ｃは前記螺子５２の螺子合わせ部で上下動して、こし具５を図３に示す凹部５１から下方に進出した浸漬位置と、図４に示す凹部５１内に格納された非浸漬位置とに上下動させることができる。
【００５７】
これによりこし具５は、図３で示すように断熱容器本体１内での浸漬位置として抽出を終えた後、図４に示すように非浸漬位置まで上動させて図５に示す保温状態にしておけるので、それ以上の過剰抽出を避けるために取り外す必要がないし、再度浸漬位置に戻すことにより二番煎じもできる。従って従来に比し格段に使用勝手のよいものとなる。もっとも、こし具５を浸漬位置と非浸漬位置とに上下動させるのに栓部材３に凹部５１を設けることは必須とはならない。軸５ｃの支持筒３ｄへの螺子合わせを下方に外すことによって軸５ｃは支持筒３ｄから外れるのでこし具５を栓部材３から下方に取り外すことができる。しかし、こし具５の上下動構造はこれに限定されるものではなく、例えば伸縮軸にて支持してそれの伸縮によって上下動させるなど種々な方法が採れる。軸５ｃの螺子５２の下には支持筒３ｄとの間をシールするシール部材５４が装着されている。
【００５８】
なお、こし具５の前記のような上下動に伴い軸５ｃは栓部材３の隔壁３ａ上で上下動するので、栓蓋４はこれに干渉しないための深い凹部５３が設けられている。このため、栓蓋４は比較的大きくなるので、天板４ｃを別部材で形成して接着や溶着によって一体に取付けてある。栓蓋４の凹部５３は取り外した状態で別に取り外したこし具５をその底部側から受け入れられる。従って、こし具５を取り外して持ち運んだり置いたりするのに、栓蓋４を最優先に取り外しておき、次に栓部材３を取り外してこし具５を断熱容器本体１から引き出した直ぐに、栓蓋４をこし具５にその底部側から被せるようにすると、こし具５を取り外す作業の時点から滴が落ちるのを栓蓋４にて受けられる。従って、あわてずに取り外したり持ち運んだりできるし、栓蓋４にこし具５を受け入れた状態にてどこにでも置けるので、取り扱いやすくさらに使用勝手のよいものになる。保温ボトルの不使用時に凹部５３は未使用の茶葉を収容するスペースともなる。
【００５９】
図６〜図１０に示す例の栓蓋４は前記の場合同様に、凹部５３にこし具５や未使用の茶葉などを受けいれられるが、こし具５の受け入れにおいて相互間に軸線方向には相対移動でき、回転方向には相対移動できない、つまり回り止めとなる係合部６１を形成してある。この係合部６１は図６、図８に示すように栓蓋４における周壁の直径線上２箇所で対向し合う内周２カ所に形成した軸線方向の凸条６１ａと、図６、図９に示すようにこし具５の段部５ａより下の部分における周壁の前記凸条６１ａと対向する部分に底部からプレス成形した軸線方向の溝６１ｂとからなり、栓部材３の取り外しによって断熱容器本体１から引出したこし具５に栓蓋４をその底部から軸線方向に被せるときに凸条６１ａに溝６１ｂを係合させることで相互が回り止め状態になる。これにより、栓蓋４を回転操作するとこし具５も一体回転するので、栓蓋４の回転操作によってこし具５を栓部材３に対して着脱することができる。特に、抽出後のこし具５を取り外すのに直接触れないので手が濡れることはないし、まだ高温な状態にあっても熱い思いをすることがない。従って、さらに取り扱いやすく使用勝手のよいものとなる。
【００６０】
以上から、こし具５は突出しないように栓蓋４に収容されても着脱に問題はない。しかし本例では、図１０に示すようにこし具５はその段部５ａが栓蓋４の周壁上に載って受け止められ、栓蓋４から所定量浮くようになっている。これによって、こし具５から栓蓋４内に滴下した滴がこし具５に触れない水切り状態にすることができる。栓部材３は隔壁３ａに開口を持たないので、図７に示すように栓蓋４を装着しなくても準保温状態にすることができる。
【００６１】
図１１〜図１３に示す例は、記述した栓部材３の隔壁３ａに絞り口２１とこれに装着したキャップ２５とを持っている以外は図６〜図１０に示す例と同じであり、いずれも既に説明したところと変わらないので、共通する部材には同一の符号を付し重複する他の説明は省略する。また、これらの例において、栓部材３の着脱に連動してこし具５内を攪拌する攪拌手段を備えておくと、例えば、栓部材３の装着によってこし具５が浸漬状態にされる過程でで浸漬材料が攪拌されながら浸漬されていくので、浸漬材料全体への浸漬液の馴染み、浸透性をよくして当初から均一な浸漬状態が得やすくなる利点がある。
【００６２】
図１４、図１５に示す例は、栓部材３に開口のない吸気弁２２を持っただけの隔壁３ａを栓蓋に共用して、単独の栓蓋を省略したものとなっている。これにより、組み立てや分解、丸洗いなど取り扱う部品点数が少なくなるので、さらに取り扱いやすく、使用勝手のよいものとなる。
【００６３】
しかも、こし具５は図１５に示すように合成樹脂製で断熱容器本体１における口部６の内周に前記螺子１１にて螺子合わせて装着される装着部５ｆと、この装着部５ｆから断熱容器本体１の凸条４２を避けるために段部５ｇを持って縮径した孔明きのこし部５ｈとを一体形成してあり、断熱容器本体１の上端部に位置する螺子１１に螺子合わせて装着してもこし部５ｈが所定の浸漬位置まで断熱容器本体１内に入り込める十分な深さを持っている。この場合の段部５ｇは浸漬時の満水位または必要水位を表すものでないが、最上位の孔の口縁上部がそれを示すようにすることができるし、水位線やマークを成形時に施すこともできる。段部５ｇの外まわりに凸条４２との間をシールするシールパッキン４１を装着してある。
【００６４】
こし具５の装着部５ｆは図１４に示すように下向きにしても口部６の螺子１１に螺子合わせることができる。これに伴い、栓部材３は断熱容器本体１を構成する内容器１ａの凸条４２と螺子１１との間に納まる程度のほぼ盤形態のものとして、前記逆さに装着したこし具５の装着部５ｆによって凸条４２との間で挟み付けシール状態に安定させられるようにしてある。このため栓部材３は隔壁３ａの外周にシールパッキン４１を装着する溝７１と、この溝７１の形成部分から上方に若干延びて装着部５ｆの押圧を受ける筒壁３ｇとを有しただけの簡単な構造になっている。従って、部品点数が少ない上に材料費も節減できるのでコストが大幅に低減する。もっとも、先の例のように保温状態での抽出はできない。
【００６５】
栓部材３およびこし具５のシールパッキン４１は個別に装着しておいてもよいが、双方のシールパッキン４１は同時に使用することはないので、図１４、図１５に示すように１つのシールパッキン４１をシールが必要となった側に装着し直して共用するようにしてもよい。
【００６６】
図１６に示す例は、先の例とほぼ同じ金属製の真空二重容器からなる断熱容器本体１と、この断熱容器本体１の上端開口２部にその少なくとも一部を塞がずに、従って開放部２ａを残して嵌め入れて着脱できるように装着され、かつ浸漬位置にあるように支持されるこし具５と、断熱容器本体１の上端開口２に着脱できるように装着されてこし具５を覆うとともに断熱容器本体１の上端開口２を閉じる蓋８１とを備えた保温ボトルとしてある。
【００６７】
この例では、３つだけの少ない構成部材で、こし具５を装着しておき、蓋８１を取り外した状態でのドリップ方式や蓋８１を装着した状態での浸漬方式の抽出と、抽出後にこし具５を取り外して蓋８１を装着した抽出液の保温とが行える。また、構成部材が少ない分だけそれぞれを分離して丸洗いしたり、互いを組み合わせて抽出したり、保温したりすることが少ない作業でできるので、従来に比し使用勝手が格段によくなる。また、蓋８１を取り外せばこし具５は装着したままでこし具５を上側にして断熱容器本体１を傾ければ、こし具５内の茶葉が流出するようなことなく断熱容器本体１の開放部２ａを通じて抽出液が飲めるし、流出させて使用することができる。仮想線に示すようにこし具５を口部より下の部分で膨らせると、前記開放部２ａを狭めないでこし具５の容量を大きくすることができる。
【００６８】
図１７に示す例は布や紙、網などの通液性生地よりなるこし具５としてあり、目の細かさによってはコーヒーなどの粉末状の抽出材料による抽出も行える。本例では特にこし具５の口縁に矢印Ａの方向に手指間で押圧すると矢印Ｂの方向に開き、矢印Ａの方向の押圧を解除すると閉じる自動閉じばねを収容した場合を示してあり、口が常時閉じているので茶葉を入れて持ち運んだり取り扱うのに茶葉がこぼれない利点がある。フック８２は図示しない自動閉じばねから一体に立ち上がったものとしてある。しかし、こし具５の口は紐材などによって巾着方式に閉じたり開いたりするなど他の方式で開閉するようにしてもよい。
【００６９】
図１８、図１９に示す例は、金属製のこし具５の口縁に断熱容器本体１における口部６の内周の凸条４２の上に載置できる載置片９１を一体に形成するなどして設け、この載置片９１を凸条４２の上に載置することによりこし具５が浸漬位置に安定なよう支持されるようにしてある。載置片９１は図１９に仮想線で示すように環状でもよいが、開放部２ａから抽出液を流出させるときに流れを乱すおそれがあるので、図１９に実線で示すように一部に不連続な部分を作る載置片９１としてあり、半円を少しでも上回る長さがあれば載置状態は安定する。載置片９１の不連続部分は図１８に示すように開放部２ａの内周一部に流路９２を形成し、また、この部分から飲み、また流出させることを使用者に意識付けできる利点もある。
【００７０】
さらに、図１８に示すように、蓋８１の天板の内側外周部に装着したシールパッキン９３が、断熱容器本体１の口部６におけるこし具５の装着部よりも外側となる例えば環状の口縁全周に圧接して断熱容器本体１との間のシールを行っている。これにより、こし具５の簡易な装着構造であるものの、断熱容器本体１が横転しても内容液が外部に漏れ出るようなことを防止することができる。
【００７１】
【発明の効果】
本発明の保温ボトルの上記１つの特徴によれば、栓部材は、こし具を断熱容器本体の口部内の深い浸漬位置に位置させるのに役立ち、栓蓋は、浸漬位置にあるこし具に収容したお茶やハーブなどの抽出材料を断熱容器本体内の湯に浸漬して抽出するのに、断熱容器本体の上端開口を閉じて保温状態を保つのに役立つので、ハーブ茶などを長い時間掛けて抽出しても湯が冷めないし、ハーブ茶などの抽出液はそのまま保温し続けられる。また、栓部材、栓蓋、こし具のそれぞれは別個に取り外せるので、断熱容器本体を含め全てが丸洗いできるし、抽出後こし具を取り外して抽出過剰が生じない保温状態にすることができる。特に、栓部材は液の出入りを制限するので、この制限の状態によって、こし具への注液や断熱容器本体内からの液の漏れだしが不用意に生じないようにしたり、生じ難くしたり、こし具への注液を調整したりすることができ、従来に比し使用勝手のよいものとなる。しかも、栓部材は液の出入りを制限する分だけ熱の出入りを制限するので栓部材と栓蓋とで二重の断熱効果が得られる。さらに、栓部材をこし具および栓蓋とともに断熱容器本体から一体に取り外した後分解するような場合に、取り外した栓蓋を裏面の凹部を上にして、次に取り外したこし具を栓蓋の凹部に受け入れて持ち運んだり置いたりすることにより、こし具からの滴を栓蓋にて受けて落ちないようにすることができ取り扱いやすい。従って、従来に比し格段に使用勝手がよくなる。
【００７４】
この場合、栓蓋の凹部周壁内にこし具が底部側から嵌まり合うものとすると、栓部材を断熱容器本体から取り外してこし具と共に抜き出す際に、先に栓部材から取り外しておいた栓蓋の凹部を引出されたこし具に底部から嵌め合わせられるので、こし具が抜き出された直ぐから滴が落ちるようなことを防止しながら栓部材から取り外して取り扱えるとともに、そのまま持ち運べるし、どこにでも置けるので、取り扱いやすく使用勝手がなお良くなる。
【００８４】
本発明の保温ボトルの上記の栓部材は、こし具を断熱容器本体の口部内の深い浸漬位置に位置させるのに役立ち、栓蓋は、浸漬位置にあるこし具に収容したお茶やハーブなどの抽出材料を断熱容器本体内の湯に浸漬して抽出するのに、断熱容器本体の上端開口を閉じて保温状態を保つのに役立つので、ハーブ茶などを長い時間掛けて抽出しても湯が冷めないし、ハーブ茶などの抽出液はそのまま保温し続けられる。また、栓部材、栓蓋、こし具のそれぞれは別個に取り外せるので、断熱容器本体を含め全てが丸洗いできるし、抽出後こし具を取り外して抽出過剰が生じない保温状態にすることができる。特に、栓部材は液の出入りを制限するので、この制限の状態によって、こし具への注液や断熱容器本体が倒れたときの液の流出が不用意に生じないようにしたり、生じ難くしたり、こし具への注液を調整したりすることができ、従来に比し使用勝手のよいものとなる。しかも、栓部材は液の出入りを制限する分だけ熱の出入りも制限するので栓部材と栓蓋とで二重の断熱効果が得られる。また、栓蓋との間の空間を断熱空間とし、かさ高くなったり特別な栓蓋の断熱構造なしに保温ボトルの保温機能を高められるし、この空間に使用しないときのこし具を収容して紛失しないようにすることができる。さらに、空間が断熱容器本体内に位置しているほど断熱効果は高くなる。
【図面の簡単な説明】
【図１】本発明の実施例における１つの例を保温・抽出状態で示す保温ボトルの縦断側面図である。
【図２】図１の保温ボトルを抽出液状態で示す断面図である。
【図３】本発明の実施例における別の例を保温・抽出状態で示す保温ボトルの縦断面図である。
【図４】図３の保温ボトルを抽出液保温状態にした、あるいは抽出状態に切り換え操作する前の状態で示す断面図である。
【図５】図３の保温ボトルを抽出液保温状態で示す断面図である。
【図６】本発明の実施例の他の例を抽出・保温状態で示す縦断面図である。
【図７】図６の保温ボトルの栓部材だけによる抽出液準保温状態で示す断面図である。
【図８】図６の保温ボトルの栓蓋の断面図および下面図である。
【図９】図６の保温ボトルのこし具の横断面図である。
【図１０】図６の保温ボトルの栓蓋でこし具を受けて置いた状態を示す断面図である。
【図１１】本発明の実施例の今１つの例を保温・抽出状態で示す保温ボトルの縦断面図である。
【図１２】図１１の保温ボトルを注液状態で示す断面図である。
【図１３】図１２の保温ボトルを注液保温状態にするために栓部材の絞り孔にキャップを装着した状態で示す断面図である。
【図１４】本発明の実施例のさらに違った保温ボトルを抽出液保温状態で示す縦断面図である。
【図１５】図１４の保温ボトルを注液状態で示す断面図である。
【図１６】本発明の実施例のさらに別の例の保温ボトルを保温・抽出状態で示す縦断面図である。
【図１７】図１６のこし具の変形例を示す斜視図である。
【図１８】本発明の実施例のさらに今１つの例の保温ボトルを保温・抽出状態で示す縦断面図である。
【図１９】図１８の保温ボトルのこし具を示す斜視図である。
【符号の説明】
１  断熱容器本体
２  上端開口
２ａ  開放部
３  栓部材
３ａ  隔壁
４  栓蓋
５  こし具
６  口部
１１、１２、１３  螺子
２１  絞り口
２２  吸気弁
３１  開閉弁
３３  ばね
３５、５１、５３  凹部
３６  空間
５２  螺子
６１  係合部
８１  蓋
８２  フック
【図１】
0003654234.tif 000002
【図２】
0003654234.tif 000003
【図３】
0003654234.tif 000004
【図４】
0003654234.tif 000005
【図５】
0003654234.tif 000006
【図６】
0003654234.tif 000007
【図７】
0003654234.tif 000008
【図８】
0003654234.tif 000009
【図９】
0003654234.tif 000010
【図１０】
0003654234.tif 000011
【図１１】
0003654234.tif 000012
【図１２】
0003654234.tif 000013
【図１３】
0003654234.tif 000014
【図１４】
0003654234.tif 000015
【図１５】
0003654234.tif 000016
【図１６】
0003654234.tif 000017
【図１７】
0003654234.tif 000018
【図１８】
0003654234.tif 000019
【図１９】
0003654234.tif 000020